(57)【特許請求の範囲】
【請求項１】
グラインドコーヒーを自動的に圧縮するための圧縮装置であって、入口開口（１２）および出口開口（１４）を有する第１のハウジング（４）を備え、該第１のハウジング（４）内に、少なくとも１つの第１の駆動装置により駆動可能な搬送機構および圧縮機構が設けられており、前記出口開口（１４）が堰止めフラップ（１６）を有しており、該堰止めフラップ（１６）は、グラインドコーヒーのかさ密度を調節するために機能し、調節装置（２０）が設けられており、該調節装置（２０）を介して、前記かさ密度の予備調節が生ぜしめられるようになっている、グラインドコーヒーを自動的に圧縮するための圧縮装置において、
前記調節装置（２０）は、第２の駆動装置（２２）を有しており、該第２の駆動装置（２２）は、伝動装置（２８）に作用接続されており、該伝動装置（２８）は、堰止めフラップシャフト（１８）に作用接続されており、該堰止めフラップシャフト（１８）に、前記堰止めフラップ（１６）が配置されていて、この場合に、前記伝動装置（２８）が、前記堰止めフラップ（１６）の開放角度の制限を可能にする手段（３０，３２，３４，３６，３８）を有しており、自動的な堰止め圧調整装置（２０）が設けられており、該堰止め圧調整装置（２０）は、前記堰止めフラップ（１６）に作用する堰止め圧が比較的高いもしくは比較的低い場合に、予備調節された開放角度の拡大もしくは減少を可能にするようになっていることを特徴とする、グラインドコーヒーを自動的に圧縮するための圧縮装置。
【請求項２】
前記伝動装置（２８）は、ウォームギア伝動装置であり、該ウォームギア伝動装置は、ウォーム（２６）と、ウォームホイール（３０）とを有しており、伝動装置ハウジング部分（１０）が設けられており、該伝動装置ハウジング部分（１０）は、回動可能に前記堰止めフラップシャフト（１８）上に支承されており、前記伝動装置ハウジング部分（１０）内で、前記ウォーム（２６）が前記堰止めフラップシャフト（１８）上に相対回動不能に支承されており、この場合に、前記ウォームの回動が、前記ウォームホイール（３０）を中心とした前記伝動装置ハウジング部分（１０）の回動を可能にし、前記伝動装置ハウジング部分（１０）に、規定されたウェイトが対応配置されており、前記所望の開放角度の予備調節が可能にされている、請求項１記載の圧縮装置。
【請求項３】
ウェイト機構（４０）が設けられており、該ウェイト機構（４０）は、レバー装置（４２）を介して前記伝動装置ハウジング部分（１０）に結合されている、請求項２記載の圧縮装置。
【請求項４】
前記ウェイト機構（４０）は、調節可能に前記レバー装置（４２）に配置されている、請求項３記載の圧縮装置。
【請求項５】
前記ウォームホイール（３０）は、円セグメント形の溝機構（３２）を有しており、該溝機構（３２）内に、ピン機構（３４）が係合しており、該ピン機構（３４）自体は、前記伝動装置ハウジング部分（１０）内に支承されており、この場合に、前記伝動装置ハウジング部分（１０）の回動は、予備調節中に、前記溝機構（３２）の第１の端部（３６）および第２の端部（３８）により制限されている、請求項２から４までのいずれか１項記載の圧縮装置。
【請求項６】
前記堰止めフラップ（１６）の最大の開放角度は、前記堰止めフラップシャフト（１８）と協働するストッパエレメントにより制限されている、請求項１から５までのいずれか１項記載の圧縮装置。
【請求項７】
前記第２の駆動装置（２２）は、カップリング（２４）を介して前記伝動装置（２８）に作用接続されている、請求項１から６までのいずれか１項記載の圧縮装置。
【請求項８】
前記カップリング（２４）は、解除可能なカップリングである、請求項７記載の圧縮装置。
【請求項９】
前記第２の駆動装置（２２）は、電気機械、特にステッピングモータである、請求項１から８までのいずれか１項記載の圧縮装置。
【請求項１０】
前記調節装置（２０）は、前記堰止めフラップシャフト（１８）の位置を監視するためのセンサ機構（４４）を有している、請求項１から９までのいずれか１項記載の圧縮装置。
【発明の詳細な説明】
【技術分野】
【０００１】
本発明は、グラインドコーヒー（挽いたコーヒー豆）を自動的に圧縮するための圧縮装置であって、入口開口および出口開口を有する第１のハウジングを備え、ハウジング内に少なくとも１つの第１の駆動装置により駆動可能な搬送機構および圧縮機構が設けられており、出口装置が、堰止めフラップを有しており、該堰止めフラップは、グラインドコーヒーのかさ密度の調節のために機能し、調節装置が設けられており、該調節装置を介して、かさ密度の予備調節が生ぜしめられるようになっている、グラインドコーヒーを自動的に圧縮するための圧縮装置に関する。
【０００２】
このような圧縮装置は、先行技術から十分に知られている。したがって、独国特許出願公開第１９７１８４５５号明細書（ＤＥ１９７１８４５５Ａ１）は、グラインド装置（ミル）から出てくるグラインドコーヒーが充填重量および充填容積に関する設定に応じて圧縮される圧縮装置を記載している。このことを達成するために、詰められるべきグラインドコーヒーは、規定されたかさ密度（立方センチメートル毎のグラム）を有していなければならない。このためには、上掲の独国特許出願公開第１９７１８４５５号明細書（ＤＥ１９７１８４５５Ａ１）による圧縮装置は、圧縮装置の出口開口に堰止めフラップを有している。堰止めフラップは、所望のかさ密度に相応して、０°〜９０°の間で開放されて調節され得る。出口開口の領域には、かさ密度もしくは圧縮度のための測定装置が設けられているので、堰止めフラップの調節に関する制御が可能にされている。
【０００３】
出口開口の領域に測定装置を配置することは複雑で、したがって高価で故障しやすい。さらに、たとえば側壁から圧縮装置トラフ内へのグラインドコーヒーの滑落により発生する、圧縮装置における急なグラインドコーヒー量の変動は補償することができない。このことは、第１の駆動装置における過負荷損傷をもたらし得る。
【０００４】
したがって、本発明の根底を成す課題は、上述の欠点を廉価かつ簡単な形式で阻止する、グラインドコーヒーを自動的に圧縮するための圧縮装置を提供することにある。
【０００５】
この課題は、以下の構成により解決される。すなわち、調節装置が第２の駆動装置を有していて、該第２の駆動装置が、伝動装置に作用接続されており、該伝動装置が、堰止めフラップシャフトに作用接続されており、該堰止めフラップシャフトには、堰止めフラップが配置されており、この場合に、伝動装置は、堰止めフラップの開放角度の制限を可能にする手段を有しており、自動的な堰止め圧調整装置が設けられており、該堰止め圧調整装置は、堰止めフラップに作用する堰止め圧が比較的高いもしくは比較的低い場合に、予備調節された開放角度の拡大もしくは減少を可能にする。つまり堰止めフラップは、もはや規定された１つの角度に予備調節されているのではなく、堰止めフラップは、予め定義された規定の開放角度にまで旋回可能である。機械的な堰止め圧調整装置によって、グラインドコーヒー量の短期間の超過または過小、ひいては堰止めフラップに作用する堰止め圧の増大または減少に簡単な形式で対処することができる。堰止めフラップは、次いで予備調節された開放角度に戻るように旋回することができる。したがって、出口開口の領域の測定装置はもはや不要である。
【０００６】
有利な実施の形態では、伝動装置は、ウォームギア伝動装置である。ウォームギア伝動装置は、ウォームおよびウォームホイールを有している。この場合、伝動装置ハウジング部分が設けられている。伝動装置ハウジング部分は、堰止めフラップシャフト上に回動可能に支承されていて、伝動装置ハウジング部分内では、ウォームが堰止めフラップシャフト上に相対回動不能に支承されていて、この場合に、ウォームの回動が、ウォームホイールを中心とした伝動装置ハウジング部分の回動を可能にし、この場合、伝動装置ハウジング部分には、規定されたウェイトが対応配置されていて、所望の開放角度の予備調節が可能である。これによって、特に簡単な形式で、一方では堰止めフラップの最大の開放角度の予備調節が実施され、この場合、機械的な堰止め圧調整装置は、伝動装置と、対応配置されたウェイトを備えた伝動装置ハウジング部分とによって実現され、これによって、予備調節された開放角度の調整が必要な場合に、堰止めフラップシャフトは、伝動装置を介して、伝動装置ハウジング部分と共に旋回することができる。ウェイト調節に基づいて、所望のかさ密度が達成可能である。したがって、「予備調節された開放角度」という概念は、堰止めフラップが、堰止め圧を加えられた場合に占める開放角度であると理解されることが示唆される。つまり、圧縮装置がスイッチオフされた状態では、堰止めフラップは閉じられている。この形式によって、それぞれの圧縮装置の、たとえば出力、寸法設計等のような機械特有のデータに基づいて、ウェイトを開放角度、ひいては所望のかさ密度に関するデータとして保存し、これによって簡単な調節を保証することも当然ながら可能である。
【０００７】
別の有利な態様では、ウェイト機構が設けられている。このウェイト機構は、レバー装置を介して、伝動装置ハウジング部分に結合されている。レバーの単純な回動により、別のモーメントが堰止めフラップシャフトに作用する。これによって、別の力が堰止めフラップに作用し、これにより堰止めフラップは、加えられた堰止め圧に基づいてさらに開放するか、または開放を小さくする。この場合、ウェイト機構が調節可能にレバー装置に配置されていて、これによって圧縮装置がより大きなフレキシビリティを有し、調節範囲が拡大されていることも考えられる。
【０００８】
ウォームホイールが円セグメント形の溝機構を有していてよく、この溝機構内にピン機構が係合し、該ピン機構自体は伝動装置ハウジング部分に支承されており、この場合に、伝動装置ハウジング部分の回動は、予備調節中に、溝機構の第１および第２の端部により制限されている、ということによって、簡単な形式で、たとえば第２の駆動装置のエラーに基づく意図しない調節が回避される。
【０００９】
有利な態様では、堰止めフラップの最大の開放角度が、堰止めフラップシャフトと協働するストッパエレメントにより制限されていてよい。
【００１０】
有利には、第２の駆動装置は、カップリングによって伝動装置に作用接続しており、この場合、カップリングは、解除可能なカップリングとして構成されていてよい。
【００１１】
さらに有利には、第２の駆動装置は、電気機械であってよく、特にステッピングモータであってよい。予備調節された開放角度の簡単な表示を、たとえばディスプレイにおいて可能にするためには、調節装置は、堰止めフラップシャフトの位置を監視するためのセンサ機構を有していてよい。このことは、直接にまたは間接的に、たとえば伝動装置の位相シフトを介して実施され得る。
【００１２】
本発明を図面につき詳しく説明する。
【図面の簡単な説明】
【００１３】
【図１】本発明に係る圧縮装置の斜視図である。
【図２】図１に示した圧縮装置の調節装置を第１の調節位置で示す、部分的に切断した側面図である。
【図３】図１に示した圧縮装置の調節装置を第２の位置で示す図である。
【００１４】
図１は、グラインドコーヒー（挽いたコーヒー豆）を自動的に圧縮するための、本発明に係る圧縮装置２を斜視図で示している。圧縮装置２は、ハウジング４を有している。ハウジング４は、実質的に複数のハウジング部分６，８，１０から構成されており、これらのハウジング部分６，８，１０はさらに複数の部分から構成されていてよい。したがって、第１のハウジング部分６は、トラフ形に形成されており、入口開口１２を有している。入口開口１２は、公知の形式で、グラインド装置（図示せず）に接続している。ハウジング部分６内には、フィードスクリュコンベア（図示せず）が配置されていてよい。このフィードスクリュコンベアは、グラインドコーヒーをさらに第２のハウジング部分８へと搬送する。第２のハウジング部分８内には、さらにコーヒースキン（Ｋａｆｆｅｅｈａｅｕｔｃｈｅｎ）の均一な分配およびグラインドコーヒーの圧縮のためのターボミキサ（図示せず）が配置されている。フィードスクリュコンベアおよびターボミキサは、公知の形式で第１の駆動装置（図示せず）に接続されている。グラインドコーヒーは、ターボミキサを通って、第２のハウジング部分８に配置された出口開口１４の方向に向かって圧縮される。出口開口１４には、堰止めフラップ１６が接続している。堰止めフラップ１６は、堰止めフラップシャフト１８に枢着されている。堰止めフラップシャフト１８は、他方で調節装置２０に作用接続されている。調節装置２０は、第３のハウジング部分１０として、伝動装置ハウジング部分を有している。圧縮装置が操作されていない状態では、堰止めフラップ１６は出口開口１４を閉じている。図２および図３につき下記でさらに詳しく説明するように、調節装置２０は、堰止めフラップ１６の開放角度の予備調節を可能にし、これにより、グラインドコーヒーのかさ密度の調節が可能にされる。
【００１５】
図２は、調節装置２０の断面図を示している。調節装置２０は、第２の駆動装置２２を有している。第２の駆動装置２２は、カップリング２４を介して、ウォームギア伝動装置２８のウォーム２６に作用接続されている。ウォームギア伝動装置２８は、公知の形式で、ウォームホイール３０を有している。ウォームホイール３０は、堰止めフラップシャフト１８上に相対回動不能に支承されている。ウォーム２６自体は、回動可能に伝動装置ハウジング部分１０内に支承されている。この場合、伝動装置ハウジング部分１０は、堰止めフラップシャフト１８上に回動可能に支承されている。さらに、ウォームホイール３０は、一貫した、円セグメント形の溝機構３２を有している。この溝機構３２を通って、伝動装置ハウジング部分１０に固く結合されたピン機構３４が係合する、もしくは貫通する。溝機構３２の円セグメントの角度は、調節装置２０の、以下に説明する調節角度よりも大きく選択されている。この場合、円セグメントの角度は、約１４０°である。係合するピン機構３４を備えた溝機構３２は、調節角度を越える調節装置２０の意図しない調節のために機能する。このためには、溝機構３２は、第１の端部３６と第２の端部３８とを有している。伝動装置ハウジング部分１０には、ウェイト機構４０が対応配置されている。このウェイト機構４０は、レバー装置４２を介して（図３を参照）伝動装置ハウジング部分１０に結合されている。さらに、堰止めフラップ１６の最大の開放角度は、ストッパエレメント（図示せず）により制限されている。ストッパエレメントは、堰止めフラップシャフト１８と協働する。
【００１６】
予備調節のために、いま、第２の駆動装置２２が操作される。堰止めフラップ１６は、この瞬間に出口開口１４を閉じていて、その方向に変位することはできないので、堰止めフラップシャフト１８、ひいてはウォームホイール３０は運動しない。したがって、ウォーム２６、ひいては伝動装置ハウジング部分１０が、ウォームホイール３０を中心として時計回り方向に運動し、これにより、ウェイト機構４０が、図示された円軌道上で調節される。鉛直方向で下方に向かって作用する重力には、これにより可変の梃子力（Ｈｅｂｅｌ）が割り当てられている。可変の梃子力は、可変のモーメントを堰止めフラップシャフト１８に作用させることができ、ひいては可変の力を堰止めフラップ１６に作用させることができる。図２では、予備調節された位置が、以下のように選択されている。すなわち、大きな梃子力がウェイト機構４０に作用し、したがって大きな力が堰止めフラップ１６に作用し、これによって、最大の圧縮の約９０％であるかさ密度が達成可能であるようにされる。
【００１７】
いま、圧縮装置２の第１の駆動装置が作動させられ、グラインドコーヒーが、出口開口１４に向かう方向に圧縮されて搬送されると、出口開口１４の領域において堰止め圧が形成され、最終的に、堰止めフラップ１６が開くことにつながる。これにより、堰止めフラップシャフト１８は、ウォームホイール３０を回動させ、ひいては伝動装置２８，伝動装置ハウジング部分１０、ウェイト機構４０ならびに第２の駆動装置２２から成る全体的な調節装置２０が反時計回りに回動させられる。グラインドコーヒー量の短期間の変動時に、堰止めフラップ１６への堰止め圧が高まるかまたは減じられ、このことは、ウェイト機構４０の自動的な移動により補償される。したがって、この実施の形態では、全体的な調節装置２０が、機械的に作用する自動的な堰止め圧調整装置を形成する。
【００１８】
その後に、調節装置２０は、ウェイト機構４０の重力に基づいて、再び予備調節された位置へと戻るように旋回させられる。
【００１９】
図３は、調節装置２０を側面図で示している。この場合、調節装置は、約４５％の角度だけ旋回されており、したがって最大圧縮の約４５％の圧縮が生じる。
【００２０】
図３では、レバー機構４２を明瞭に確認することができる。レバー機構４２を介して、ウェイト機構４０は、伝動装置ハウジング部分１０に枢着されている。ここでは参照符号４４によりセンサ機構、たとえばホールセンサが示されている。ホールセンサは、堰止めフラップシャフト１８の回動角度を検出し、したがって堰止めフラップ１６の開放角度を監視する。駆動装置２２は、この実施の形態ではステッピングモータとして構成されている。
【００２１】
特に伝動装置の構成に関して多くの実施の形態を成すことができ、それらの実施の形態は全て本発明の保護範囲に含まれることは明らかである。
【図１】
0006410843.tif 000002
【図２】
0006410843.tif 000003
【図３】
0006410843.tif 000004